(57)【要約】【課題】  レーザー光探知機能を具えたマウスとその探知方法を提供する。【解決手段】  主にケース体、ローラー、複数のボタン、傾斜探知回路、マイクロコントローラー、レーザー光センサー、駆動回路、発光装置を含む。該マイクロコントローラーが有効な傾斜信号を受信すると該レーザー光センサーはパワーダウン状態となり、該傾斜信号が無効となると、該レーザー光センサーは有効状態を回復する。すなわち、本考案はマウスの傾斜角度を探知し、これに基づきレーザー光の発射を制御する。【選択図】  図  ２
0003111508.tif 000002
【実用新案登録請求の範囲】
【請求項１】
主にケース体、ローラー、複数のボタン、傾斜探知回路、マイクロコントローラー、レーザー光センサー、駆動回路、発光装置を含み、
該ケース体は以下の部品を設置し、
該複数のボタンは該ケース体外側に設置し、
該傾斜探知回路は該ケース体中に設置し、該マウスの傾斜角度を探知し、該マウスの傾斜角度がある特定の角度より大きい時には傾斜信号を有効とし、
該マイクロコントローラーは該ケース体中に設置し、該複数のボタン、該ローラー、該傾斜探知回路に接続し、該傾斜探知回路が発信する傾斜信号を受信し、これに基づき制御信号を発し、
該レーザー光センサーは該ケース体中に設置し、該マイクロコントローラーに接続し、該制御信号を受信し、これに基づき駆動信号を発し、
該駆動回路は該レーザー光センサーに接続し、該駆動信号の制御を受け、通電或いは閉鎖し、
該発光装置は該駆動回路に接続し、レーザー光を発し、
該マイクロコントローラーが該有効な傾斜信号を受信すると、該レーザー光センサーはパワーダウン状態となり、該傾斜信号が無効となると、該レーザー光センサーは有効状態を回復することを特徴とするレーザー光探知機能を具えたマウス。
【請求項２】
前記傾斜探知回路はボールスイッチ、マイクロエレクトロニックシステムであることを特徴とする請求項２記載のレーザー光探知機能を具えたマウス。
【請求項３】
前記発光装置はレーザーダイオードであることを特徴とする請求項１記載のレーザー光探知機能を具えたマウス。
【請求項４】
前記駆動回路はトランジスタであることを特徴とする請求項１記載のレーザー光探知機能を具えたマウス。
【請求項５】
主にケース体、複数のボタン、傾斜探知回路、マイクロコントローラー、第一スイッチ回路、レーザー光センサー、第二スイッチ回路、発光装置を含み、
該ケース体は以下の部品を設置し、
該複数のボタンは該ケース体外側に設置し、
該傾斜探知回路は該ケース体中に設置し、該マウスの傾斜角度を探知し、該マウスの傾斜角度がある特定の角度より大きい時には傾斜信号を有効とし、
該マイクロコントローラーは該ケース体中に設置し、該ローラー、該複数のボタン、該傾斜探知回路に接続し、該傾斜探知回路が探知する角度信号を受信し、これに基づき制御信号を発し、
該第一スイッチ回路は該マイクロコントローラーに接続し、該駆動信号の制御を受け、これに基づき電源を通電或いは閉鎖し、
該レーザー光センサーは該ケース体中に設置し、該マイクロコントローラー及び該第一スイッチ回路に接続し、その電源入力端は該第一スイッチ回路の制御を受け、該第一スイッチ回路が有効である時には該制御信号の制御を受け、駆動信号を発信し、
該第二スイッチ回路は該ケース体中に設置し、該マイクロコントローラーに接続し、該マイクロコントローラーの制御を受け該発光装置に電源を出力し、
該発光装置は該第二スイッチ回路に接続し、該駆動信号に基づきレーザー光を発し、
該マイクロコントローラーが該有効な傾斜信号を受信すると、該第一スイッチ回路は閉鎖し、該レーザー光センサーはパワーダウン状態となり、該傾斜信号が無効となると、該第一スイッチ回路は通電し、該レーザー光センサーは有効状態を回復し、同時に該第二スイッチ回路は通電し該発光装置はレーザー光を発射することを特徴とするレーザー光探知機能を具えたマウス。
【請求項６】
前記傾斜探知回路はボールスイッチ、マイクロエレクトロニックシステムであることを特徴とする請求項５記載のレーザー光探知機能を具えたマウス。
【請求項７】
前記発光装置はレーザーダイオードであることを特徴とする請求項５記載のレーザー光探知機能を具えたマウス。
【請求項８】
前記第一スイッチ回路及び前記第二スイッチ回路はトランジスタであることを特徴とする請求項５記載のレーザー光探知機能を具えたマウス。
【考案の詳細な説明】
【技術分野】
【０００１】
本考案は一種のコンピュータ周辺の入力装置に関する。特に一種の傾斜探知回路を具えたマウスで、マウスが45°傾斜、或いは引っくり返った時、そのレーザー光センサーは電源オフ状態に入り、発光装置が発するレーザー光が使用者の目を傷つけることを防ぐレーザー光探知機能を具えたマウスとその探知方法に係る。
【背景技術】
【０００２】
現在市場で使用されている光学マウスは、光を作業平面上に投射し、該作業平面に反射する光の変化を光センサーにより探知し、精確にコンピュータのカーソルの移動を制御する機能を達成するものである。関連技術には米国特許第4,794,384号(1987年4月9日申請、1988年12月27日批准)、米国特許第5,644,139号(1996年8月14日申請、1997年7月1日批准)、米国特許第6,433,780号(2001年1月2日申請、2002年8月13日批准)、米国特許第5,786,804号(1995年10月6日申請、1998年7月28日批准)、米国特許第5,274,361号(1991年8月15日申請、1993年12月28日批准)などの公開資料がある。
前記384号、361号などの公知の技術でもレーザー光源の使用技術は提出されているが、関連技術の成熟度とコストに対する考慮から、現在の光学マウスはLED光を主要な探知光源としている。
しかし、レーザー光が投射する高エネルギー光は拡散しにくいという特性を具えるため、近年専門家の注目を集めており、上記の特性を利用し、より一層精確なカーソル制御信号を獲得することが待たれている。
現在使用されているレーザー光の光学マウスは、使用者が光学マウスをある一定の角度以上に傾斜させる、或いは倒してしまう時、レーザー光は使用者の目を投射或いは直射する可能性があるが、この際であっても、人体に害はないと業者は謳っている。しかし、実は潜在的な危険が存在し、使用者の目に傷害負わせる恐れがあるのである。これは消費者保護の観点から直ちに改善すべき重大な欠点であると言える。
【考案の開示】
【考案が解決しようとする課題】
【０００３】
本考案はマウスの傾斜角度が45°より大きくなる、或いはマウスが引っくり返った時には、レーザー光センサーはパワーダウン状態となり、或いはその電源を閉鎖し、発光装置が発するレーザー光が使用者の目に傷害を与えることを防止可能であり、
また本考案はマウスの傾斜角度を探知し、これに基づきレーザー光線の発射を制御する方法を提供し、それはマウスの傾斜角度が45°より大きくなる、或いはマウスが引っくり返った時に、レーザー光センサーはパワーダウン状態となり、或いはその電源を閉鎖し、発光装置が発するレーザー光が使用者の目に傷害を与えることを防止可能であるレーザー光探知機能を具えたマウスとその探知方法を提供するものである。
【課題を解決するための手段】
【０００４】
上記課題を解決するため、本考案は下記のレーザー光探知機能を具えたマウスとその探知方法を提供する。
それは主にケース体、ローラー、複数のボタン、傾斜探知回路、マイクロコントローラー、レーザー光センサー、駆動回路、発光装置を含み、
該ケース体は以下の部品を設置し、
該ローラーは該ケース体中に設置し、該ケース体外に露出し、
該複数のボタンは該ケース体外側に設置し、
該傾斜探知回路は該ケース体中に設置し、該マウスの傾斜角度を探知し、
該マイクロコントローラーは該ケース体中に設置し、該複数のボタン、該ローラー、該傾斜探知回路に接続し、該傾斜探知回路が発信する傾斜信号を受信し、これに基づき制御信号を発し、
該レーザー光センサーは該ケース体中に設置し、該マイクロコントローラーに接続し、該制御信号を受信し、これに基づき駆動信号を発し、
該駆動回路は該レーザー光センサーに接続し、該駆動信号の制御を受け、通電或いは閉鎖し、
該発光装置は該駆動回路に接続し、レーザー光を発し、
該マイクロコントローラーが有効な該傾斜信号を受信すると、該レーザー光センサーはパワーダウン状態となり、該傾斜信号が無効となると、該レーザー光センサーは有効状態を回復し、
またそれは主にケース体、複数のボタン、傾斜探知回路、マイクロコントローラー、第一スイッチ回路、レーザー光センサー、第二スイッチ回路、発光装置を含み、
該ケース体は以下の部品を設置し、
該ローラーは該ケース体中に設置し、該ケース体外に露出し、
該複数のボタンは該ケース体外側に設置し、
該傾斜探知回路は該ケース体中に設置し、該マウスの傾斜角度を探知し、
該マイクロコントローラーは該ケース体中に設置し、該ローラー、該複数のボタン、該傾斜探知回路に接続し、該傾斜探知回路が探知する角度信号を受信し、これに基づき制御信号を発し、
該第一スイッチ回路は該マイクロコントローラーに接続し、該駆動信号の制御を受け、これに基づき電源を通電或いは閉鎖し、
該レーザー光センサーは該ケース体中に設置し、該マイクロコントローラー及び該第一スイッチ回路に接続し、その電源入力端は該第一スイッチ回路の制御を受け、該第一スイッチ回路が有効である時には該制御信号の制御を受け、駆動信号を発信し、
該第二スイッチ回路は該ケース体中に設置し、該マイクロコントローラーに接続し、該マイクロコントローラーの制御を受け該発光装置に電源を出力し、
該発光装置は該第二スイッチ回路に接続し、該駆動信号に基づきレーザー光を発し、
該マイクロコントローラーが有効な傾斜信号を受信すると、該第一スイッチ回路は閉鎖し、該レーザー光センサーはパワーダウン状態となり、該傾斜信号が無効となると、該第一スイッチ回路は通電し、該レーザー光センサーは有効状態を回復し、同時に該第二スイッチ回路は通電し該発光装置はレーザー光を発射し、
該マウスの傾斜角度がある特定の角度より大きい時には傾斜信号を有効とし、
さらにそれは以下のステップを含み、
該傾斜探知回路により該マウスの傾斜角度を探知し、
該傾斜探知回路が探知した角度を該マイクロコントローラーに送信し、
該マイクロコントローラーは探知した角度に基づき、制御信号を発し、該レーザー光センサーを制御し、
該傾斜角度が特定の角度より大きければ該制御信号は該レーザー光センサーをパワーダウン状態とし、該発光装置のレーザー光発射を停止し、
該傾斜角度が特定の角度より小さければ該制御信号は該レーザー光センサーに有効状態を回復させ、該発光装置はレーザー光を発射し、
またそれは以下のステップを含み、
該傾斜探知回路は該マウスの傾斜角度を探知し、
該傾斜探知回路が探知した傾斜角度を該マイクロコントローラーに送信し、
該マイクロコントローラーは探知した傾斜角度に基づき、制御信号を出力し該レーザー光センサーの電源を制御し、
該傾斜角度が特定の角度より大きい場合には、該制御信号は該レーザー光センサーの電源を閉鎖し、
該傾斜角度が特定の角度より小さい場合には、該制御信号は該レーザー光センサーの電源を通電させ、該発光装置はレーザー光を発射し、
さらにそれは以下のステップを含み、
該傾斜探知回路は該マウスの傾斜角度を探知し、
該傾斜探知回路が探知した傾斜角度を該マイクロコントローラーに送信し、
該マイクロコントローラーは探知した角度に基づき、制御信号を出力し該発光装置の電源を制御し、
該傾斜角度が特定の角度より大きい場合には、該制御信号は該発光装置の電源を閉鎖し、
該傾斜角度が特定の角度より小さい場合には、該制御信号は該発光装置の電源を通電させ、該発光装置はレーザー光を発射することを特徴とするレーザー光探知機能を具えたマウスとその探知方法である。
【考案の効果】
【０００５】
上記のように、本考案の実施により、マウスの傾斜角度が45°より大きくなる、或いはマウスが引っくり返った時には、レーザー光センサーはパワーダウン状態となり、或いはその電源を閉鎖し、発光装置が発するレーザー光が使用者の目に傷害を与えることを防止可能であり、公知のマウスの欠点を確実に改善することができる。
【考案を実施するための最良の形態】
【０００６】
図１、２に示すように、本考案レーザー光探知機能を具えたマウスはケース体１、ローラー２、複数のボタン３、傾斜探知回路４、マイクロコントローラー５、レーザー光センサー６、駆動回路７、発光装置８を含む。
該ケース体１及び該ローラー２は公知のマウスと同様のものであるため、ここでは詳述しない。
該複数のボタン３は左ボタン３１、ローラー３２、右ボタン３３を含む。該ローラー３２は該ローラー２の付近区域に設置する。
該傾斜探知回路４は該ケース体１内に設置し、該マウスの傾斜角度を探知する。該傾斜探知回路４はボールスイッチ、マイクロエレクトロニックシステムの他にあらゆる傾斜角度を探知可能なセンサーとすることができる。該傾斜探知回路４が探知する傾斜角度は、本実施例中では45°であるが、これに限るものではない。該マウスの傾斜角度が45°より大きい時、該傾斜探知回路４は傾斜信号を該マイクロコントローラー５に発信する。
該マイクロコントローラー５は該ケース体１中に設置し、該ローラー２、該複数のボタン３、該傾斜探知回路４に接続し、該傾斜探知回路４が発信する傾斜信号を受信し、これに基づき制御信号を発し該レーザー光センサー６に送信する。
該レーザー光センサー６は該ケース体１中に設置し、該マイクロコントローラー５に接続し、該マイクロコントローラー５が発信する制御信号を受信し、これに基づき駆動信号を発し該駆動回路７に送信する。
該駆動回路７は該レーザー光センサー６に接続する。該駆動回路７は本実施例ではトランジスタであるが、これに限るものではない。該駆動回路７は駆動信号の制御を受け、通電或いは閉鎖し、該発光装置８該レーザー光を発するか否かを制御する。
該発光装置８は該駆動回路７に接続する。本実施例では該発光装置８はレーザーダイオードであるが、これに限らず、他のレーザー光を発するものとすることができる。
【０００７】
使用者がマウスを45°に傾斜させ、或いは倒す時、該傾斜探知回路４は有効傾斜信号を該マイクロコントローラー５に発信する。該マイクロコントローラー５は該レーザー光センサー６を制御しパワーダウン状態とし、該駆動回路７を停止状態とする。こうして、該発光装置８もまた停止状態となりレーザー光は発射されない。
使用者がマウスを正常な角度に戻した時、該傾斜探知回路４はマウスの傾斜角度が45°より小さいことを探知すると、該マイクロコントローラー５は無効傾斜信号を受信し、該レーザー光センサー６を制御し可動状態とする。こうして、該駆動回路７は通電状態となり、該発光装置８もまた通電状態となり、レーザー光を発射することができる。
【０００８】
次に図３に示すように、本考案の別種の実施例であるレーザー光探知機能を具えたマウスはケース体１、ローラー２、複数のボタン３、傾斜探知回路４、マイクロコントローラー５、第一スイッチ回路９１、レーザー光センサー６、第二スイッチ回路９２、発光装置８により構成する。
該ケース体１、該ローラー２、該複数のボタン３、該傾斜探知回路４、該マイクロコントローラー５、該レーザー光センサー６、該発光装置８は図１、２の同一符合の部品と同様である。その作業原理は上記の説明を参照されたし。
該第一スイッチ回路９１は該電源と該マイクロコントローラー５間に接続する。該第一スイッチ回路９１は本実施例ではトランジスタであるが、これに限るものではない。該第一スイッチ回路９１は該マイクロコントローラー５が出力する駆動信号を受信しこれの制御により通電或いは閉鎖を行い、該レーザー光センサー６を有効或いは無効にする。
該第二スイッチ回路９２は電源と該発光装置８間に接続する。該第二スイッチ回路９２は本実施例ではトランジスタであるが、これに限るものではない。該第二スイッチ回路９２は該マイクロコントローラー５が出力する駆動信号を受信しこれの制御により通電或いは閉鎖を行い、該発光装置８を有効或いは無効にする。
【０００９】
使用者がマウスを45°に傾斜させ、或いは倒す時、該傾斜探知回路４は有効傾斜信号を該マイクロコントローラー５に発信する。該マイクロコントローラー５は該第一スイッチ回路９１を制御しパワーダウン状態とし、該レーザー光センサー６を停止状態とする。こうして、該発光装置８もまた停止状態となりレーザー光は発射されない。
或いは使用者がマウスを45°に傾斜させ、或いは倒す時、該マイクロコントローラー５は該第二スイッチ回路９２を停止状態とし、該レーザー光センサー６は無効状態となる。これにより、該発光装置８もまた停止状態となり、レーザー光は発射されない。
使用者がマウスを正常な角度に戻した時、該傾斜探知回路４はマウスの傾斜角度が45°より小さいことを探知すると、該マイクロコントローラー５は無効傾斜信号を受信し、該第一スイッチ回路９１及び該第二スイッチ回路９２を制御し通電状態とする。この時、電源が該レーザー光センサー６及び該発光装置８に供給され、該発光装置８はレーザー光を発射することができるようになり、マウスは正常な作動を回復する。
【００１０】
続いて図４に示すように、本考案のマウスの傾斜角度を探知しこれに基づきレーザー光発射を制御する方法は、以下のステップを含む。
ステップ１では、該傾斜探知回路４により該マウスの傾斜角度を探知する。
ステップ２では、該傾斜探知回路４が探知した角度を該マイクロコントローラー５に送信する。
ステップ３では、該マイクロコントローラー５は探知した角度に基づき、制御信号を発し、該レーザー光センサー６を制御する。
ステップ４では該傾斜角度が特定の角度より大きければ該制御信号は該レーザー光センサー６をパワーダウン状態とし、該発光装置８のレーザー光発射を停止する。
ステップ５では、該傾斜角度が特定の角度より小さければ該制御信号は該レーザー光センサー６に有効状態を回復させ、該発光装置８はレーザー光を発射する。
【００１１】
該傾斜探知回路４、該マイクロコントローラー５、該レーザー光センサー６、該発光装置８の組合せ状態及び作動原理については上記説明を参照されたし。
該ステップ１において、該傾斜探知回路４は該マウスの傾斜角度を探知する。
該ステップ２において、該傾斜探知回路４が探知するマウスの角度は該マイクロコントローラー５に入力される。
該ステップ３において、該マイクロコントローラー５は探知された角度に基づき制御信号を出力し、該レーザー光センサー６を制御する。もし該傾斜探知回路４が探知した傾斜角度が特定の角度(ここでは45°であるが、これに限るものではない)より大きければ該傾斜探知回路４は有効な傾斜信号を発し該マイクロコントローラー５に送信する。もし該傾斜探知回路４が探知した角度が45°より小さければ、該傾斜探知回路４は向こうの傾斜信号を発し該マイクロコントローラー５に送信する。
該ステップ４において該傾斜角度が45°より大きく、該マイクロコントローラー５が該傾斜探知回路４が出力した有効傾斜信号を既に受信したなら、該マイクロコントローラー５は制御信号を発信し、該レーザー光センサー６をパワーダウン状態とし、該発光装置８はレーザー光の発射を停止する。
該ステップ５において、該傾斜角度が45°より小さいなら、該マイクロコントローラー５は無効の傾斜信号を受信する。このため、該マイクロコントローラー５は制御信号を発信し、該レーザー光センサー６に有効状態を回復させ、レーザー光を発射させる。
【００１２】
次に図５に示すように、本考案のマウスの傾斜角度を探知し、これに基づきレーザー光の出力を制御する方法は以下のステップを含む。
ステップ１では、該傾斜探知回路４は該マウスの傾斜角度を探知する。
ステップ２では、該傾斜探知回路４が探知した傾斜角度を該マイクロコントローラー５に送信する。
ステップ３では、該マイクロコントローラー５は探知した傾斜角度に基づき、制御信号を出力し該レーザー光センサー６或いは該発光装置８の電源を制御する。
ステップ４では、該傾斜角度が特定の角度より大きい場合には、該制御信号は該レーザー光センサー６或いは該発光装置８の電源を閉鎖する。
ステップ５では、該傾斜角度が特定の角度より小さい場合には、該制御信号は該レーザー光センサー６及び該発光装置８の電源を通電させ、該発光装置８はレーザー光を発射する。
【００１３】
該ステップ１では、該傾斜探知回路４は該マウスの傾斜角度を探知する。
該ステップ２では、該傾斜探知回路４が探知したマウス角度を該マイクロコントローラー５に送信する。
該ステップ３では、該傾斜探知回路４が探知した傾斜角度が特定の角度より大きければ(ここでは45°であるが、これに限るものではない)、該傾斜探知回路４は有効な傾斜信号を該マイクロコントローラー５に送信する。該マイクロコントローラー５は制御信号を発信し、該レーザー光センサー６或いは該発光装置８の電源を制御する。
該ステップ４では、該傾斜角度が45°より大きく、該マイクロコントローラー５が該傾斜探知回路４が発信した無効傾斜信号を既に受信したなら、該マイクロコントローラー５は制御信号を発し、該レーザー光センサー６或いは該発光装置８の電源を閉鎖し、該発光装置８はレーザー光の発射を停止する。
該ステップ５では、該傾斜角度が45°より小さく、該マイクロコントローラー５が該有効傾斜信号を既に受信したなら、該マイクロコントローラー５は制御信号を発し該レーザー光センサー６及び該発光装置８の電源を通電させ、該発光装置８はレーザー光を発射する。
【図面の簡単な説明】
【００１４】
【図１】本考案レーザー光探知機能を具えたマウスの分解指示図である。
【図２】本考案レーザー光探知機能を具えたマウスのブロックチャートである。
【図３】本考案別種のレーザー光探知機能を具えたマウスのブロックチャートである。
【図４】本考案最適実施例の探知マウスの傾斜角度をレーザー光出力の方法で制御する過程の指示図である。
【図５】本考案別種の最適実施例の探知マウスの傾斜角度をレーザー光出力の方法で制御する過程の指示図である。
【符号の説明】
【００１５】
１  ケース体
２  ローラー
３  複数のボタン
３１  左ボタン
３２  ローラー
３３  右ボタン
４  傾斜探知回路
５  マイクロコントローラー
６  レーザー光センサー
７  駆動回路
８  発光装置
９１  第一スイッチ回路
９２  第二スイッチ回路
【図１】
0003111508.tif 000003
【図２】
0003111508.tif 000004
【図３】
0003111508.tif 000005
【図４】
0003111508.tif 000006
【図５】
0003111508.tif 000007